(57)【要約】      （修正有）【課題】製造コストを低減でき、且つ耐久性の高い装飾部材を備える筆記具を提供する。【解決手段】軸筒部１１の側面部に設けられたノック部材１３と、上記ノック部材と係合すると共に、上記軸筒部の内方に、上記軸筒部の軸方向に沿って摺動可能に挿通された連動部材１５と、上記連動部材に係合し、上記連動部材に連動する接続部材１６と、上記接続部材の反連動部材側に設けられ、上記接続部材の軸方向の動作を、軸筒部の径方向断面に対して所定傾斜角度を有する径方向の往復動作に変換する直動カム部１７と、上記直動カム部に当接し、上記直動カム部上を摺動する従動部材１８と、上記従動部材に連設され、上記装飾部材の可動部１９を作動させる駆動部材２０と、上記接続部材に取り付けられ、上記接続部材を軸筒部の上方に向かって付勢するスプリング部材２１，２２とを備えた構成とする。【選択図】図１
0003147718.tif 000002
【実用新案登録請求の範囲】
【請求項１】
軸筒部の一端部に取り付けられ、ノック部材のノック操作に連動して作動しうる装飾部材を備える筆記具であって、
軸筒部の側面部に設けられたノック部材と、上記ノック部材と係合すると共に、上記軸筒部の内方に、上記軸筒部の軸方向に沿って摺動可能に挿通された連動部材と、
上記連動部材に係合し、上記連動部材に連動する接続部材と、上記接続部材の反連動部材側に設けられ、上記接続部材の軸方向の動作を、軸筒部の径方向断面に対して所定傾斜角度を有する径方向の往復動作に変換する直動カム部と、
上記直動カム部に当接し、上記直動カム部上を摺動する従動部材と、
上記従動部材に連設され、上記装飾部材の可動部を作動させる駆動部材と、
上記接続部材に取り付けられ、上記接続部材を軸筒部の上方に向かって付勢するスプリング部材とを備えることを特徴とする筆記具。
【請求項２】
上記ノック部材は、細長板状に形成され、一端部に上記軸筒部の径方向に突出し、断面略Ｌ字型に形成された突起部を有し、
上記連動部材は、所定の長さ寸法を有すると共に、上記軸筒部よりも小径の円筒状に形成され、軸方向に設けられた細長切欠部を有し、
上記突起部は上記軸筒部の側面に形成された長孔を介して、上記連動部材の上記切欠部に係合し、
上記接続部材は棒状に形成されると共に、両端部に径方向に突出する係合突起部が設けられ、
上記直動カム部は、全体円筒形状に形成され、一端部に輪部形状がΩ状の切欠部が設けられた胴体部と、上記胴体部の一端部に連設され、軸筒部内に装着した場合に、上記軸筒部の径方向断面に対して、軸方向における上端部方向に向かって所定角度傾斜しつつ径方向に突出するカム本体とを備え、
上記接続部材の一端部の係合突起と、上記連動部材の切欠部とが係合することにより、上記接続部材と上記連動部材が接続されると共に、上記接続部材の他端部の係合突起部と上記直動カム部の胴体部の切欠部が係合することによって上記接続部材と上記直動カム部が接続され、
上記駆動部材は、軸筒部の径方向に沿うと共に上記従動部材の摺動方向に対して直交し、上記装飾部材の可動部が固定された軸部を有し、上記直動カム部に沿って摺動する上記従動部材が連設されると共に、他端部は上記装飾部材に固着され、
上記従動部材が上記直動カム部のカム本体上を摺動することにより、上記駆動部材の他端部は、上記軸を中心とする円弧上を回動することを特徴とする請求項１記載の筆記具。
【請求項３】
上記ノック部材はクリップであることを特徴とする請求項１又は２いずれか１項記載の筆記具。
【考案の詳細な説明】
【技術分野】
【０００１】
本考案は、筆記時に係り、特に軸筒部にノック部材のノック操作に連動して作動しうる装飾部材を備える筆記具に関する。
【背景技術】
【０００２】
日常の筆記で現在多用されている筆記具は、ボールペンやシャープペンシル等、多岐に渡っている。
筆記具を選択する場合、書き易さ等の使い勝手が良いことが重要な条件であることは言うまでも無いが、若年層等の購買意欲を向上させるためには、上記のみでは不十分であり、装飾性等の外観品質が優れていることが重要な要素となる。
【０００３】
筆記具の外観品質を向上させる方法としては、装飾模様の印刷、若しくは装飾部材の取り付け等が考えられるが、単に模様や形状のみを工夫しても、外観品質の向上範囲には限界があり、すぐに飽きられてしまうという不具合を有していた。
【０００４】
上記不具合を解決するため、軸筒部の一端部に可動する装飾部材が取り付けられた筆記具が提案されている（特許文献１）。
図３は、特許文献１にかかる筆記具７０の装飾部材８１の動作前状態（１）、動作後状態（２）を示す軸方向拡大断面図である。
図３に示すように、上記特許文献１に係る筆記具７０は、内部中空の軸筒部７１に、ボールペンのペン軸７２が貫挿されている。
上記軸筒部７１の上端部側面にはクリップであるノック部材７３が取り付けられ、上記ノック部材７３の一端部には上記軸筒部７１の径方向に突出し、側断面Ｌ字状に形成された連動部材７４が連設され、上記連動部材７４は、上記軸筒部７１の上端部側面に設けられた長孔７５を介して、上記長孔７５内を軸方向に摺動可能に挿通されている。
上記ペン軸７２の上端部には軸方向に突出する細径円筒状の突起部７６が設けられ、上記突起部７６の上端部は上記連動部材７４の断面Ｌ字状の底面に当接している。
また、上記突起部７６の外周部には上記連動部材７４を軸方向上方に向かって付勢するスプリング７７が巻装されている。
また、上記軸筒部７１の上端部内方には、上記連動部材７４の作動に伴って作動するカム機構部７８が内装されている。
上記カム機構部７８は、上記ノック部材７３の動作を円板カム７９に伝達する伝達部８０を備えている。
上記円板カム７９は径方向に突出する突起部８６を有する円板状に形成され、ノック部７３の作動に伴って、上記伝達部８０を介して回転する。
また、上記装飾部材８１は、上記軸筒部７１の上端部に取り付けられ、ミニチュアのロッキングチェア８２に動物キャラクタ８３が腰掛けた形状に形成されている。
上記装飾部材８１の内部には上記軸筒部７１の軸方向に往復作動しうる伝達棒部８４が挿通され、上記伝達棒部８４の下端部は、上記軸筒部７１の上端部に設けられた孔部８５に挿通されると共に、上記円板カム７９に当接する従動部８７が連設されている。
また、上記伝達棒部８４の上端部には可動部８８が回動可能に軸承されている。
【０００５】
図３（１）に示すように、上記ノック部材７３を指等によって図３（１）中矢印Ｅの方向に押し下げると、図３（２）に示すように上記連動部材７４、カム機構部７８の伝達部８０を介して、円板カム７９が回転する。
上記円板カム７９の突起部８６により、従動部８７が押し上げられると共に、径方向に傾斜し、上記ロッキングチェア８２が図３（２）中矢印Ｆの方向に揺れ動く。
更に、上記伝達棒部８４が上方に持ち上げられ、上記可動部８８が図３（２）中矢印Ｇの方向に揺れ動く。
【０００６】
上記特許文献１に係る筆記具７０にあっては、ノック部材７３のノック操作という、通常の使用動作に伴って、装飾部材８１が作動することから、外観品質が向上するのみでなく、斬新で娯楽性が高い筆記具７０を提供することが可能である。
しかしながら、上記特許文献１に係る筆記具７０においては、カム機構部７８に円板カム７９を用いる必要があることから、非常に高い部品加工精度が要求される。
また、円板カム７９に対する動作の伝達方法には、一般的に歯車等を介する必要があり、部品間の接触部分が多く、その分消耗も激しくなり、また部品点数や組み立て工数も増大する。
従って、上記特許文献１に係る筆記具７０の装飾部材８１は、製造コストが増大し、且つ部品耐久性も悪くなるという不具合を有していた。
【０００７】
【特許文献１】実用新案登録第３１０７５１３号公報
【考案の開示】
【考案が解決しようとする課題】
【０００８】
本考案の課題は、上記の不具合を解決し、製造コストを低減でき、且つ耐久性の高い装飾部材を備える筆記具を提供することにある。
【課題を解決するための手段】
【０００９】
上記課題を解決するために、請求項１記載の筆記具は、軸筒部の一端部に取り付けられ、ノック部材のノック操作に連動して作動しうる装飾部材を備える筆記具であって、軸筒部の側面部に設けられたノック部材と、上記ノック部材と係合すると共に、上記軸筒部の内方に、上記軸筒部の軸方向に沿って摺動可能に挿通された連動部材と、上記連動部材に係合し、上記連動部材に連動する接続部材と、上記接続部材の反連動部材側に設けられ、上記接続部材の軸方向の動作を、軸筒部の径方向断面に対して所定傾斜角度を有する径方向の往復動作に変換する直動カム部と、上記直動カム部に当接し、上記直動カム部上を摺動する従動部材と、上記従動部材に連設され、上記装飾部材の可動部を作動させる駆動部材と、上記接続部材に取り付けられ、上記接続部材を軸筒部上方に向かって付勢するスプリング部材とを備えることを特徴とする。
【００１０】
従って、ノック部材の軸方向の往復動作に連動して上記連動部材、上記接続部材、上記直動カム部が軸筒部における軸方向に作動することによって、上記直動カム部に当接する従動部は軸筒部の径方向断面に対して所定傾斜角度を有する径方向に摺動すると共に、上記スプリング部材によって上記接続部材は軸筒部の上方に向かって付勢されていることから、上記接続部材に係合する上記連動部材及び上記連動部材に係合するノック部材についても軸筒部の上方に向かって付勢される。
【００１１】
また、請求項２記載の筆記具は、上記ノック部材は、細長板状に形成され、一端部に上記軸筒部の径方向に突出し、断面略Ｌ字型に形成された突起部を有し、上記連動部材は、所定の長さ寸法を有すると共に、上記軸筒部よりも小径の円筒状に形成され、軸方向に設けられた細長切欠部を有し、上記突起部は上記軸筒部の側面に形成された長孔を介して、上記連動部材の上記切欠部に係合し、上記接続部材は棒状に形成されると共に、両端部に径方向に突出する係合突起部が設けられ、上記直動カム部は、全体円筒形状に形成され、一端部に輪部形状がΩ状の切欠部が設けられた胴体部と、上記胴体部の一端部に連設され、軸筒部内に装着した場合に、上記軸筒部の径方向断面に対して、軸方向における上端部方向に向かって所定角度傾斜しつつ径方向に突出するカム本体とを備え、上記接続部材の一端部の係合突起と、上記連動部材の切欠部とが係合することにより、上記接続部材と上記連動部材が接続されると共に、上記接続部材の他端部の係合突起部と上記直動カム部の胴体部の切欠部が係合することによって上記接続部材と上記直動カム部が接続され、上記駆動部材は、軸筒部に沿うと共に上記従動部材の摺動方向に対して直交し、上記装飾部材の可動部が固定された軸部を有し、上記直動カム部に沿って摺動する上記従動部材が連設されると共に、他端部は上記装飾部材に固着され、上記従動部材が上記直動カム部のカム本体上を摺動することにより、上記駆動部材の他端部は、上記軸を中心とする円弧上を回動することを特徴とする。
【００１２】
従って、上記従動部が軸筒部の径方向断面に対して所定傾斜角度を有する径方向に摺動することよって、上記従動部に連設された駆動部材は、上記軸部を中心に回動する。
【００１３】
また、請求項３の考案にあっては、上記ノック部材はクリップであることを特徴とする。
【００１４】
従って、ノック部は持ち運び時にポケット等に差し込み可能なクリップとして機能する。
【考案の効果】
【００１５】
請求項１〜３記載の考案にあっては、ノック部材の動作を変換するためのカム機構として、回転動作が生じる円板カムではなく、直動カムを使用することから、円板カムと比較して、要求される部品の加工精度が低く、また回転軸部材等が不要であることから、より部品点数が少なく、製造コストを低減できる筆記具を提供することができる。
また、カムへの動作伝達のための歯車等の部品が不要であり、部品間の接触部分が少なく、部品の磨耗等による消耗が軽減されることから、より耐久性の高い装飾部材を備える筆記具を提供することが可能となる。
【００１６】
また請求項２記載の考案にあっては、請求項１の考案の効果に加え、ノック部材の動作が装飾部材の可動部の回動運動に変換されることから、より斬新で娯楽性が高い筆記具を提供することが可能となる。
【００１７】
また、請求項３記載の考案にあっては、請求項１及び２の考案の効果に加え、ノック部材がクリップとして機能することから、より携帯に便利な筆記具を提供することが可能となる。
【考案を実施するための最良の形態】
【００１８】
以下、図面に基づき本考案の実施の形態について説明する。
図１に示すように、本実施の形態に係る筆記具１０は、軸筒部１１の一端部１２に取り付けられ、クリップであるノック部材１３のノック操作に連動して作動しうる装飾部材１４を備え、上記軸筒部１１の側面部に設けられたノック部材１３と、上記ノック部材１３と係合すると共に、上記軸筒部１１の内方に、上記軸筒部１１の軸方向に沿って摺動可能に挿通された連動部材１５と、上記連動部材１５に係合し、上記連動部材１５に連動する接続部材１６と、上記接続部材１６の反連動部材側に設けられ、上記接続部材１６の軸方向の動作を、軸筒部１１の径方向断面に対して所定傾斜角度を有する径方向の往復動作に変換する直動カム部１７と、上記直動カム部１７に当接し、上記直動カム部１７上を摺動する従動部材１８と、上記従動部材１８に連設され、上記装飾部材１４の可動部１９を作動させる駆動部材２０と、上記接続部材１６に取り付けられ、上記接続部材１６を軸筒部１１の上方に向かって付勢するスプリング部材２１，２２とを備えている。
上記ノック部材１３は、細長板状に形成され、一端部に上記軸筒部１１の径方向に突出し、断面略Ｌ字型に形成された突起部２３を有し、上記連動部材１５は、所定の長さ寸法を有すると共に、上記軸筒部１１よりも小径の円筒状に形成され、軸方向に設けられた細長切欠部２４を有し、上記突起部２３は上記軸筒部１１の側面に形成された長孔２５を介して、上記連動部材１５の上記切欠部２４に係合し、上記接続部材１６は棒状に形成されると共に、両端部に径方向に突出する係合突起部２６，２７が設けられ、上記直動カム部１７は、全体円筒形状に形成され、一端部に輪部形状がΩ状の切欠部２８が設けられた胴体部２９と、上記胴体部２９の一端部に連設され、軸筒部１１内に装着した場合に、上記軸筒部１１の径方向断面に対して、軸方向における上端部方向に向かって所定角度傾斜しつつ径方向に突出するカム本体３０とを備え、上記接続部材１６の一端部の係合突起２６と、上記連動部材１５の切欠部２４とが係合することにより、上記接続部材１６と上記連動部材１５が接続されると共に、上記接続部材１６の他端部の係合突起部２７と上記直動カム部１７の胴体部２９の切欠部２８が係合することによって上記接続部材１６と上記直動カム部１７が接続され、上記駆動部材２０は、軸筒部１１及び上記従動部材１８の摺動方向に対して直交し、上記装飾部材１４の可動部が固定された軸部３１を有し、上記直動カム部１７に沿って摺動する上記従動部材１８が連設されると共に、他端部は上記装飾部材１４に固着されている。
【実施例】
【００１９】
上記実施例の構成について、以下図面を用いて説明する。
図１は本実施例にかかる筆記具１０において、装飾部材１４を作動させる前の状態を示す側方断面図である。
図１に示すように、装飾部材１４は、上記軸筒部１１の一端部１２に取り付けられており、動物キャラクターの形状に形成されている。
上記装飾部１４は、動物キャラクターの胴体部から頭部の下半部までの部位が固定部３２として上記軸筒部１１の一端部側１２に固定され、上記可動部１９は上記固定部３２とヒンジ部３３を介して接続された、上記動物キャラクターの頭部の上半部の部位で形成され、上記可動部１９の作動によって、上記動物キャラクターの口が開閉するように形成されている。
図１に示すように、ノック部材１３を作動させる前の状態においては、スプリング部材２１，２２は伸延した状態となっており、従動部材１８は、カム本体３０において、胴体部２９寄りの位置に当接している。
また、上記装飾部材１４の上記可動部１９は上記動物キャラクターの口が開口した状態となる位置に配置されている。
【００２０】
上記の構成において、上記装飾部材１４を作動させる場合の作用について詳述する。
図１に示すように、ノック部材１３を図中矢印Ａの方向に指等により押下することによって、上記ノック部材１３に連設されている上記突起部２３が上記連動部材１５を上記軸筒部１１の軸方向下方に向って押し下げられる。
上記動作によって、上記連動部材１５に係合されている接続部材１６は、上記軸筒部１１の軸方向下方に向かって移動すると共に、上記接続部材１６の突起部２７が上記直動カム部１７の胴体部２９の切欠部２８内を上記軸筒部１１の軸方向下方に向かって移動することによって、上記直動カム部１７の胴体部２９と上記胴体部２９に連設するカム本体３０は、図中矢印Ｂの方向に移動する。
この時、上記従動部１８は上記カム本体３０の図中矢印Ｂの方向への移動に追従して、図中矢印Ｃに示すように、上記カム本体３０上を上記軸筒部１１における径方向外方に向かって摺動する。
この結果、上記駆動部２０は、上記軸部３１を中心として、図１中矢印Ｄの方向に回動し、上記駆動部２０の回動によって上記装飾部材１４の可動部１９がヒンジ部３３を介して図中矢印Ｄに沿って連動して回動し、上記装飾部材１４の動物キャラクターは図２に示すように口を閉じた状態となる。
また、図２に示す状態から、ノック部材１３を解放すると、上記スプリング２１、２２の付勢力によって、上記カム本体３０は図１中の矢印Ｂの逆方向に押し上げられ、上記カム本体３０に当接する上記従動部１８は、図１中矢印Ｃと逆方向に摺動し、再び図１に示す状態に復元され、上記装飾部材１４のキャラクターは口が開放された状態となる。
【００２１】
以上のように、本実施例に係る筆記具１０は、動作伝達に直動カム部１７を用いていることから、ノック部材１３から装飾部材１４の可動部に至る動作の伝達に歯車等の部品は不要である。
従って、従来の円板カムを用いる筆記具と比較して、部品間の接触部分が少なく、部品の磨耗等による消耗が軽減されることから、より耐久性の高く、且つ斬新な動作を行い、娯楽性の高い装飾部材１４を備える筆記具を提供することが可能となる。
また、円板カムと比較して部品点数も少なく、且つ高度な加工精度が不要であることから、製造コストを低減することが可能となる。
【００２２】
なお、本実施例においては、装飾部を動物キャラクターとしたが、本実施例と同様の動作機構を用いるのであれば、装飾部の形状及び、可動部と固定部の形状及び動作方法を自由に設計変更しても、同一の作用及び効果を得ることが可能である。
また、本実施例に係る筆記具は、同様の動作機構を用いるのであれば、シャープペンシル、ボールペン等複数の種類の筆記具に等しく適用することが可能である。
【産業上の利用可能性】
【００２３】
本考案は、軸筒部にノック部材のノック操作に連動して作動しうる装飾部材を備える筆記具に適用することが可能である。
【図面の簡単な説明】
【００２４】
【図１】本考案に係る筆記具の一実施の形態を示し、実施例の形態おける筆記具の装飾部材の動作前状態を示す側方断面図である。
【図２】本考案に係る筆記具の一実施の形態を示し、実施例の形態おける筆記具の装飾部材の動作後状態を示す側方断面図である。
【図３】従来の装飾部材つき筆記具の動作前（１）及び動作後（２）の状態を示す側方断面図である。
【符号の説明】
【００２５】
１０  筆記具
１１  軸筒部
１２  軸筒部の一端部
１３  ノック部材
１４  装飾部材
１５  連動部材
１６  接続部材
１７  直動カム部
１８  従動部材
１９  可動部
２０  駆動部材
２１  スプリング部材
２２  スプリング部材
２３  突起部
２４  細長切欠部
２５  長孔  
２６  係合突起部
２７  係合突起部
２８  切欠部
２９  胴体部
３０  カム本体
３１  軸部
３２  装飾部の固定部
３３  ヒンジ部
７０  筆記具
７１  軸筒部
７２  ペン軸
７３  ノック部材
７４  連動部材
７５  長孔
７６  突起部
７７  スプリング
７８  カム機構部
７９  円板カム
８０  伝達部
８１  装飾部材
８２  ロッキングチェア
８３  動物キャラクタ
８４  伝達棒部
８５  孔部
８６  突起部
８７  従動部
８８  可動部
【図１】
0003147718.tif 000003
【図２】
0003147718.tif 000004
【図３】
0003147718.tif 000005